(57)【要約】【課題】障子の開閉時に異音が生じることを防止することができる。【解決手段】枠体２と、枠体２に設けられた障子と、を有し、枠体２の下枠２２は、底部および底部の端部から上下方向に向かって伸びる側部からなり上側に開口する樹脂下枠溝部（溝部）４５５が形成された樹脂下枠（枠本体）４と、樹脂下枠溝部４５５に嵌合し上部に障子の戸車が走行する障子レール６と、を有し、障子レール６の第１障子レール溝部６ｂおよび第２障子レール溝部６ｃ（側部）は、樹脂下枠溝部４５５の第１突起部４５６および第２突起部４５７（側部）に沿って延びていて、樹脂下枠溝部４５５の第１突起部４５６および第２突起部４５７と障子レール６の第１障子レール溝部６ｂおよび第２障子レール溝部６ｃとの間には、隙間ｄ１，ｄ２が形成されている。【選択図】図４
2019094705.tif 000002
【特許請求の範囲】
【請求項１】
枠体と、枠体に設けられた障子と、を有し、
前記枠体の下枠は、底部および前記底部の端部から上下方向に向かって伸びる側部からなり上側に開口する溝部が形成された枠本体と、
前記溝部に嵌合し上部に前記障子の戸車が走行する障子レールと、を有し、
前記障子レールの側部は、前記溝部の側部に沿って延びていて、
前記溝部の側部と前記障子レールの側部との間には、隙間が形成されていることを特徴とする建具。
【請求項２】
前記溝部の側部には、前記溝部の内側に突出する突起部が形成され、
前記突起部の先端部と前記障子レールの側部との間には、隙間が形成されている請求項１に記載の建具。
【請求項３】
前記障子レールの側部には、内側に凹み内部に前記突起部が配置される障子レール溝部が形成され、
前記突起部の外周面と前記障子レール溝部の内周面との間には、隙間が形成されている請求項２に記載の建具。
【請求項４】
前記障子レールには、障子レール溝部の上側に側方に突出する張出部が形成され、
前記張出部の先端部は、テーパ形状に形成され、
前記張出部の先端部と上端部の連結部分は、Ｒ形状に形成されて、前記枠本体の上端部と接触している請求項３に記載の建具。
【請求項５】
前記障子レールの下端部は、前記溝部の底部と接触している請求項１乃至４のいずれか一項に記載の建具。
【請求項６】
前記障子レールは、前記枠体の縦枠と離間するように設けられている請求項１乃至５のいずれか一項に記載の建具。
【発明の詳細な説明】
【技術分野】
【０００１】
本発明は、建具に関する。
【背景技術】
【０００２】
引違サッシでは、障子に設けられている戸車が、下枠（枠本体）に設置された障子レールに沿って移動するように構成されている。障子レールは、下枠に形成された溝部に嵌合設置されている（例えば、特許文献１参照）。
【先行技術文献】
【特許文献】
【０００３】
【特許文献１】特開２００７−２９１７１８号公報
【発明の概要】
【発明が解決しようとする課題】
【０００４】
このような建具では、障子の開閉時に戸車が障子レールに沿って移動すると、障子の荷重によって障子レールが下枠に対して上下方向および水平方向に動き、障子レールと下枠とが擦れて異音が発生することがある。
【０００５】
そこで、本発明では、障子の開閉時に異音が生じることを防止することができる建具を提供することを目的とする。
【課題を解決するための手段】
【０００６】
上記目的を達成するため、本発明に係る建具は、枠体と、枠体に設けられた障子と、を有し、前記枠体の下枠は、底部および前記底部の端部から上下方向に向かって伸びる側部からなり上側に開口する溝部が形成された枠本体と、前記溝部に嵌合し上部に前記障子の戸車が走行する障子レールと、を有し、前記障子レールの側部は、前記溝部の側部に沿って延びていて、前記溝部の側部と前記障子レールの側部との間には、隙間が形成されていることを特徴とする。
【０００７】
本発明では、溝部の側部と障子レールの側部との間には、隙間が形成されていることにより、障子の開閉によって障子レールが枠本体に対して上下方向および水平方向に動いても溝部の側部と障子レールの側部とが擦れることがないため、障子の開閉時に異音が生じることを防止することができる。
【０００８】
また、本発明に係る建具では、前記溝部の側部には、前記溝部の内側に突出する突起部が形成され、前記突起部の先端部と前記障子レールの側部との間には、隙間が形成されていてもよい。
このような構成とすることにより、突起部によって障子レールが溝部から抜け出ることを防止することができる。突起部の先端部と障子レールの側部との間には、隙間が形成されていることにより、障子の開閉によって障子レールが枠本体に対して上下方向および水平方向に動いても突起部の側部と障子レールの側部とが擦れることがないため、障子の開閉時に異音が生じることを防止することができる。
【０００９】
また、本発明に係る建具では、前記障子レールの側部には、内側に凹み内部に前記突起部が配置される障子レール溝部が形成され、前記突起部の外周面と前記障子レール溝部の内周面との間には、隙間が形成されていてもよい。
このような構成とすることにより、突起部と障子レール溝部によって障子レールが溝部から抜け出ることを防止することができる。突起部の外周面と障子レール溝部の内周面との間には、隙間が形成されていることにより、障子の開閉によって障子レールが枠本体に対して上下方向および水平方向に動いても突起部と障子レール溝部とが擦れることがないため、障子の開閉時に異音が生じることを防止することができる。
また、突起部の外周面と障子レール溝部の内周面との間に隙間が形成されていることにより、突起部や障子レール溝部の寸法にバラツキが生じた場合でも、この隙間によって寸法のバラツキを吸収することができる。
【００１０】
また、本発明に係る建具では、前記障子レールには、障子レール溝部の上側に側方に突出する張出部が形成され、前記張出部の先端部は、テーパ形状に形成され、前記張出部の先端部と上端部の連結部分は、Ｒ形状に形成されて、前記枠本体の上端部と接触していてもよい。
障子レールの張出部が枠本体の上端部と接触していることにより、障子レールを枠本体に対して安定した状態に取り付けることができる。また、Ｒ形状に形成された張出部の先端部と上端部の連結部分が枠本体の上端部と接触していることにより、テーパ部と枠本体とが例えば、点接触や面接触するため、互いの接点を少なくすることができ、互いに擦れた場合でも異音が生じることを抑えることができる。
【００１１】
また、本発明に係る建具では、前記障子レールの下端部は、前記溝部の底部と接触していてもよい。
このような構成とすることにより、障子レールを枠本体に対して安定した状態に取り付けることができる。
【００１２】
また、本発明に係る建具では、前記障子レールは、前記枠体の縦枠と離間するように設けられていてもよい。
例えば、枠体が樹脂製であって下枠と縦枠とが溶着されていると、下枠と縦枠との境界部分にばりが生じることがある。本発明では、障子レールは、前記枠体の縦枠と離間するように設けられていることにより、下枠と縦枠との境界部分にばりが生じた場合でも、下枠の枠本体に障子レールを取り付けることができる。
【発明の効果】
【００１３】
本発明によれば、障子の開閉時に異音が生じることを防止することができる。
【図面の簡単な説明】
【００１４】
【図１】本発明の実施形態による建具の一例を示す室内側から見た正面図である。
【図２】本発明の実施形態による建具の枠体を室内側から見た正面図である。
【図３】図１のＡ−Ａ線断面図である。
【図４】図３のＣ部分拡大図である。
【図５】図２のＢ−Ｂ線断面図である。
【図６】本実施形態の変形例による建具の障子レールを説明する図である。
【発明を実施するための形態】
【００１５】
以下、本発明の実施形態による建具について、図１乃至図５に基づいて説明する。
図１に示すように、本実施形態による建具１は、引違サッシで建物の壁部１１に形成された開口部１２に設けられている。
建具１は、開口部１２に沿って設けられた四方枠状の枠体２と、枠体２の内側に左右方向にスライド可能に設けられた一対の障子３，３と、を有している。
以下の説明において、室外側と室内側とを結ぶ方向を室内外方向とし、開口部１２が壁部１１を貫通する方向（壁部１１に対向する方向）から見た際の左側と右側を結ぶ水平方向を左右方向とする。また、建具１を構成する各部材や部品などは、開口部１２に設けられている姿勢であるものとして、その姿勢における室内外方向および左右方向を用いて説明する。
【００１６】
図２に示すように、枠体２は、左右方向に延びる上枠２１および下枠２２と、上下方向に延びて上枠２１および下枠２２と連結された一対の縦枠２３，２３と、を有している。上枠２１、下枠２２および一対の縦枠２３，２３は、互いに略同じ断面に形成されている。以下の説明では、上枠２１、下枠２２および一対の縦枠２３，２３などの長尺の部材に対してそれぞれが延びる方向を長さ方向とすることがある。
上枠２１、下枠２２および一対の縦枠２３，２３は、それぞれの長さ方向に延びる合成樹脂製の樹脂下枠（枠本体）４と、それぞれの長さ方向に延びる金属製の枠芯材２５（図３参照）と、を有している。樹脂下枠４および枠芯材２５は、それぞれの長さ方向全体において略同じ断面形状となるように形成されている。このため、樹脂下枠４を構成する部材は、基本的に、樹脂下枠４の長さ方向に延びていて、枠芯材２５を構成する部材は、基本的に、枠芯材２５の長さ方向に延びている。
【００１７】
上枠２１、下枠２２および一対の縦枠２３，２３それぞれの樹脂下枠４は、互いに同じ断面に形成されている。樹脂下枠４は、例えば押出材で、内部に長さ方向全体にわたって中空部が形成されている。樹脂下枠４は、長さ方向の端部４ａがそれぞれ斜め４５°に切断されている。
枠芯材２５は、樹脂下枠４の中空部に挿入配置されている。枠芯材２５は、樹脂下枠４よりも若干短く形成されている。枠芯材２５は、樹脂下枠４の長さ方向の両端部４ａ，４ａそれぞれから長さ方向の外側に突出しないように配置されている。
【００１８】
上枠２１および下枠２２の樹脂下枠４と、一対の縦枠２３，２３の樹脂下枠４とは、互いの端部４ａ，４ａを突き合わせて９０°を成すように溶着されている。
上枠２１および下枠２２の枠芯材２５と、一対の縦枠２３，２３の枠芯材２５とは、直接連結されておらず枠体２のＬ字形状の連結金具（不図示）などを介して連結されている。
【００１９】
図３に示すように、下枠２２の樹脂下枠４は、開口部１２の内周面に沿って配置される第１樹脂下枠見込み板部４１と、第１樹脂下枠見込み板部４１の上側（開口部１２の内側）に間隔をあけて配置された第２樹脂下枠見込み板部４２と、第１樹脂下枠見込み板部４１の室外側の端部４１ａと第２樹脂下枠見込み板部４２の室外側の端部４２ａとを連結するとともに第２樹脂下枠見込み板部４２の上側に突出する樹脂下枠外板部４３と、第１樹脂下枠見込み板部４１の室内側の端部４１ｂと第２樹脂下枠見込み板部４２の室内側の端部４２ｂとを連結するとともに第２樹脂下枠見込み板部４２の上側に突出する樹脂下枠内板部４４と、それぞれ第２樹脂下枠見込み板部４２から上側に突出する第１レール部４５および第２レール部４６と、第１樹脂下枠見込み板部４１から下側に突出する第１固定ヒレ部４７と、樹脂下枠内板部４４から室内側に突出する第２固定ヒレ部４８と、を有している。これらは、樹脂下枠４の長さ方向に延びている。
【００２０】
第１樹脂下枠見込み板部４１は、板状に形成され、板面が上下方向を向く向きで配置されている。第１樹脂下枠見込み板部４１は、室内外方向の室内側の部分が開口部１２の内周面と当接し、室内外方向の室外側の部分が壁部１１よりも室外側に突出している。第１樹脂下枠見込み板部４１には、室内外方向の中間部に長さ方向の全長わたって延びて上側に凹んだ溝部４１１が形成されている。
【００２１】
第２樹脂下枠見込み板部４２は、板状に形成され、板面が略上下方向を向く向きで第１樹脂下枠見込み板部４１の鉛直方向の上側に配置されている。第２樹脂下枠見込み板部４２は、室内外方向の寸法が第１樹脂下枠見込み板部４１と略同じ寸法に設計されている。
第２樹脂下枠見込み板部４２は、室内側から室外側に向かって漸次下側（開口部１２の外側）に向かうように緩く傾斜していて、室内側よりも室外側の方が第１樹脂下枠見込み板部４１に近接している。
【００２２】
樹脂下枠外板部４３は、板状に形成され、板面が室内外方向を向くように配置されている。樹脂下枠外板部４３は、下端部４３ａが第１樹脂下枠見込み板部４１の室外側の端部４１ａと接続され、上下方向の中間部が第２樹脂下枠見込み板部４２の室外側の端部４２ａと接続され、上部側が第２樹脂下枠見込み板部４２よりも上側に突出している。
【００２３】
樹脂下枠内板部４４は、板状に形成され、板面が室内外方向を向くように配置されている。樹脂下枠内板部４４は、下端部４４ａが第１樹脂下枠見込み板部４１の室内側の端部４１ｂと接続され、上下方向の中間部が第２樹脂下枠見込み板部４２の室内側の端部４２ｂと接続され、上部側が第２樹脂下枠見込み板部４２よりも上側に突出している。
【００２４】
樹脂下枠４には、第１樹脂下枠見込み板部４１、第２樹脂下枠見込み板部４２、樹脂下枠外板部４３および樹脂下枠内板部４４に囲まれた中空部が形成されている。また、この中空部は、室内外方向に間隔をあけた配置された２つの樹脂下枠見付け板部４１２，４１３によって室内外方向に３つに分割されている。
２つの樹脂下枠見付け板部４１２，４１３は、それぞれ板状に形成され、板面が室内外方向を向くように配置されている。２つの樹脂下枠見付け板部４１２，４１３は、それぞれの下端部４１２ａ，４１３ａが第１樹脂下枠見込み板部４１の上面と接続され、それぞれの上端部４１２ｂ，４１３ｂが第２樹脂下枠見込み板部４２の下面と接続されている。
第１樹脂下枠見込み板部４１と第２樹脂下枠見込み板部４２との間における２つの樹脂下枠見付け板部４１２，４１３の間の空間は、枠芯材２５が配置される枠ホロー部Ｓ４１となっている。
【００２５】
第１レール部４５および第２レール部４６は、それぞれ第２樹脂下枠見込み板部４２から上側に突出するレール外板部４５１と、レール外板部４５１よりも間隔をあけた室内側において第２樹脂下枠見込み板部４２から上側に突出するレール内板部４５２と、レール外板部４５１とレール内板部４５２との間に配置されレール外板部４５１およびレール内板部４５２それぞれと接続されたレール中板部４５３と、を有している。
【００２６】
第１レール部４５は、レール外板部４５１が室外側の樹脂下枠見付け板部４１２の鉛直方向の上側に配置されている。
第２レール部４６は、レール内板部４５２が室内側の樹脂下枠見付け板部４１３の鉛直方向の上側に配置されている。
【００２７】
レール中板部４５３は、レール外板部４５１およびレール内板部４５２それぞれの上下方向の中間部と接続されている。
第１レール部４５および第２レール部４６には、レール外板部４５１とレール内板部４５２との間において第２樹脂下枠見込み板部４２とレール中板部４５３とに挟まれた空部４５４が形成されている。この空部４５４は、第１レール部４５の長さ方向に延びるレール芯材（不図示）を配置可能に構成されている。
【００２８】
第１レール部４５および第２レール部４６には、レール外板部４５１とレール内板部４５２との間で、レール中板部４５３の上側の部分に、第１レール部４５の長さ方向に延びて上方に開口する樹脂下枠溝部（溝部）４５５が形成されている。樹脂下枠溝部４５５は、レール中板部４５３の上面４５３ａが底面となり、レール外板部４５１の室内側の面４５１ａ、およびレール内板部４５２の室外側の面４５２ａが側面となっている。レール中板部４５３の上面４５３ａが本発明の溝部の底部に相当し、レール外板部４５１の室内側の面４５１ａ、およびレール内板部４５２の室外側の面４５２ａが本発明の溝部の側部に相当している。また、後述する第１突起部４５６および第２突起部４５７も本発明の溝部の側部に相当している。
第１レール部４５と第２レール部４６とは、配置されている位置以外は略同じ形態に形成されている。以下では第１レール部４５について説明し、第２レール部４６については説明を省略する。
【００２９】
図４に示すように、樹脂下枠溝部４５５には、高さ方向の中間部にレール外板部４５１の室内側の面４５１ａから室内側に突出する第１突起部４５６と、レール内板部４５２の室外側の面４５２ａから室外側に突出する第２突起部４５７と、が形成されている。第１突起部４５６と、第２突起部４５７と、は室内外方向に対称となるように形成されている。
【００３０】
第１突起部４５６の下面４５６ａおよび上面４５６ｂは、レール外板部４５１の室内側の面４５１ａから室内側に延びている。第１突起部４５６の先端面（室内側の面）４５６ｃは、第１突起部４５６の下面４５６ａの室内側の縁部から上側に延びている。第１突起部４５６の先端面４５６ｃと上面４５６ｂとの角部４５６ｄは、Ｒ形状に形成されている。
レール外板部４５１の室内側の面４５１ａのうち、第１突起部４５６の上側の部分４５１ｂおよび下側の部分４５１ｃは、略鉛直面となるように形成されている。レール外板部４５１の室内側の面４５１ａと上端面４５１ｄとの角部４５１ｅは、略直角となるように形成されている。レール外板部４５１の室内側の面４５１ａとレール中板部４５３の上面４５３ａとの角部４５３ｂは、Ｒ形状に形成されている。
【００３１】
第２突起部４５７の下面４５７ａおよび上面４５７ｂは、レール内板部４５２の室外側の面４５２ａから室外側に延びている。第２突起部４５７の先端面（室外側の面）４５７ｃは、第２突起部４５７の下面４５７ａの室内側の縁部から上側に延びている。第２突起部４５７の先端面４５７ｃと上面４５７ｂとの角部４５７ｄは、Ｒ形状に形成されている。
レール内板部４５２の室外側の面４５２ａのうち、第２突起部４５７の上側の部分４５２ｂおよび下側の部分４５２ｃは、略鉛直面となるように形成されている。レール内板部４５２の室外側の面４５２ａと上端面４５２ｄとの角部４５２ｅは、略直角となるように形成されている。レール内板部４５２の室外側の面４５２ａとレール中板部４５３の上面４５３ａとの角部４５３ｃは、Ｒ形状に形成されている。
【００３２】
このような樹脂下枠溝部４５５には、アルミ製やスチール製などの金属製の障子レール６が嵌合するように構成されている。
障子レール６は、左右方向に延びて、室内外方向に対称となる形状に形成されている。  図１および図５に示すように、障子レール６の左右方向の端部６ａ，６ａは、縦枠２３と離間している。
【００３３】
図４に戻り、障子レール６は、板面が上下方向を向く平板状の障子レール上板部６１と、障子レール上板部６１の上部に設けられた障子レール本体６２と、障子レール上板部６１の室外側の端部から下側に延びる障子レール外板部６３と、障子レール上板部６１の室内側の端部から下側に延びる障子レール内板部６４と、障子レール外板部６３の上端部から室外側に突出する第１張出部６５と、障子レール内板部６４の上端部から室内側に突出する第２張出部６６と、障子レール外板部６３の下部側から室外側に突出する第１突出部６７と、障子レール内板部６４の下部側から室内側に突出する第２突出部６８と、を有している。
【００３４】
障子レール本体６２は、上面が上側に突出する曲面に形成されている。障子レール本体６２は、上面に沿って障子３の戸車７（図３参照）が走行するように構成されている。
【００３５】
障子レール外板部６３の下端面６３１は、下側に凸となるＲ形状に形成されている。
障子レール内板部６４の下端面６４１は、下側に凸となるＲ形状に形成されている。
障子レール外板部６３の下端面６３１と、障子レール内板部６４の下端面６４１とは、同じ高さに配置されている。
【００３６】
第１張出部６５と第１突出部６７とは、高さ方向に離間している。障子レール６には、第１張出部６５、第１突出部６７および障子レール外板部６３に囲まれた第１障子レール溝部６ｂが形成されている。
第２張出部６６と第２突出部６８とは、高さ方向に離間している。障子レール６には、第２張出部６６、第２突出部６８および障子レール内板部６４に囲まれた第２障子レール溝部６ｃが形成されている。
【００３７】
第１張出部６５の上面６５１および第２張出部６６の上面６６１は、障子レール上板部６１の上面６１１と面一に形成されている。
第１張出部６５の下面６５２は、水平面に形成されている。
第１張出部６５の室外側の端面６５３は、上側から下側に向かって漸次室内側に向かうテーパ面に形成されていて、第１張出部６５の上面６５１との連結部分６５４は、Ｒ形状に形成され、第１張出部６５の下面６５２との連結部分６５５は、Ｒ形状に形成されている。
第１突出部６７は、上面６７１が障子レール外板部６３から室外側に延び、室外側の面６７２が上側から下側に向かって漸次室内側に向かうように傾斜して延びている。第１突出部６７の上面６７１と室外側の面６７２との連結部分６７３は、Ｒ形状に形成されている。第１突出部６７の室外側の面６７２の下端部は、障子レール外板部６３の下端面６３１と接続されている。
【００３８】
第２張出部６６の下面６６２は、水平面に形成されている。
第２張出部６６の室内側の端面６６３は、上側から下側に向かって漸次室外側に向かうテーパ面に形成されていて、第２張出部６６の上面６６１との連結部分６６４は、Ｒ形状に形成され、第２張出部６６の下面６６２との連結部分６６５は、Ｒ形状に形成されている。
第２突出部６８は、上面６８１が障子レール内板部６４から室内側に延び、室内側の面６８２が上側から下側に向かって漸次室外側に向かうように傾斜して延びている。第２突出部６８の上面６８１と室内側の面６８２との連結部分６８３は、Ｒ形状に形成されている。第２突出部６８の室内側の面６８２の下端部は、障子レール内板部６４の下端面６４１と接続されている。
【００３９】
障子レール６は、樹脂下枠溝部４５５に嵌合されている。障子レール６が樹脂下枠溝部４５５に嵌合されると、障子レール６の第１障子レール溝部６ｂに樹脂下枠溝部４５５の第１突起部４５６が配置され、障子レール６の第２障子レール溝部６ｃに樹脂下枠溝部４５５の第２突起部４５７が配置される。
障子レール６の第１張出部６５は、第１突起部４５６の上側に配置される。障子レール６の第２張出部６６は、第２突起部４５７の上側に配置される。障子レール６の第１突出部６７は、第１突起部４５６の下側に配置される。障子レール６の第２突出部６８は、第２突起部４５７の下側に配置される。
【００４０】
このとき、障子レール６の障子レール外板部６３の下端面６３１および障子レール内板部６４の下端面６４１は、樹脂下枠溝部４５５の底部（レール中板部４５３の上面４５３ａ）と当接している。
障子レール６の第１張出部６５は、室外側の端面６５３と上面６５１との連結部分６５４でＲ形状の部分がレール外板部４５１の上端部と当接している。障子レール６の第２張出部６６は、室内側の端面６６３と上面６６１との連結部分６６４でＲ形状の部分がレール内板部４５２の上端部と当接している。
【００４１】
第１突起部４５６の下面４５６ａ、上面４５６ｂおよび先端面４５６ｃそれぞれと、第１障子レール溝部６ｂの内周面との間には、隙間ｄ１が形成されている。すなわち、第１突起部４５６の下面４５６ａ、上面４５６ｂおよび先端面４５６ｃそれぞれと、第１障子レール溝部６ｂの内周面とは離間している。
第２突起部４５７の下面４５７ａ、上面４５７ｂおよび先端面４５７ｃそれぞれと、第２障子レール溝部６ｃの内周面との間には、隙間ｄ２が形成されている。すなわち、第２突起部４５７の下面４５７ａ、上面４５７ｂおよび先端面４５７ｃそれぞれと、第２障子レール溝部６ｃの内周面とは離間している。
【００４２】
障子レール６の第１張出部６５の上面６５１および第２張出部６６の上面６６１は、障子レール外板部６３の上端面および障子レール内板部６４の上端面と略同じ高さに配置されている。障子レール６の障子レール本体６２は、第１レール部４５よりも上側に突出している。
【００４３】
障子レール６を樹脂下枠溝部４５５に嵌合させるには、障子レール６を樹脂下枠溝部４５５の上部に配置し、障子レール６を樹脂下枠溝部４５５に押し入れる。
障子レール６を樹脂下枠溝部４５５に押し入れると、障子レール６の第１突出部６７の室外側の面６７２が樹脂下枠溝部４５５の第１突起部４５６の角部４５６ｄに当接し、障子レール６の第２突出部６８の室内側の面６８２が樹脂下枠溝部４５５の第２突起部４５７の角部４５７ｄと当接する。
【００４４】
第１突起部４５６の角部４５６ｄおよび第２突起部４５７の角部４５７ｄがＲ形状であるとともに、第１突出部６７の室外側の面６７２および第２突出部６８の室内側の面６８２が傾斜面である。このため、第１突起部４５６の角部４５６ｄと第１突出部６７の室外側の面６７２とが滑るようにして第１突出部６７が内側に弾性変形し、第２突起部４５７の角部４５７ｄと第２突出部６８の室内側の面６８２とが滑るようにして第２突出部６８が内側に弾性変形する。これにより、第１突出部６７および第２突出部６８が第１突起部４５６および第２突起部４５７の下側に入り込み、障子レール６が樹脂下枠溝部４５５に嵌合する。
【００４５】
図１に戻り、一対の障子３，３は、室外側に配置される外障子３Ａと、室内側に配置される内障子３Ｂと、から構成されている。
框体３１は、左右方向に延びる上框３３および下框３４と、上下方向に延びて上框３３の両端部と下框３４の両端部と連結された戸先框（縦框）３５および召合せ框（縦框）３６と、を有している。
上框３３、下框３４、戸先框３５および召合せ框３６は、それぞれ長さ方向に延びる合成樹脂製の樹脂框３７と、それぞれ長さ方向に延びる金属製の框芯材３８と、を有している。
【００４６】
上框３３、下框３４、戸先框３５および召合せ框３６それぞれの樹脂框３７は、互いに同じ断面に形成されている。
樹脂框３７は、内部に長さ方向全体にわたって中空部（框ホロー部Ｓ１とする）が形成されている。樹脂框３７は、長さ方向の端部３７ａ，３７ａがそれぞれ斜め４５°に切断されている。
框芯材３８は、樹脂框３７の框ホロー部に挿入配置されている。框芯材３８は、樹脂框３７よりも長さ方向に若干短く形成されている。框芯材３８の長さ方向の端部は、樹脂框３７の長さ方向の端部３７ａ，３７ａよりも長さ方向の中央側となるように配置されている。
【００４７】
図２に示すように、上框３３および下框３４の樹脂框３７と、戸先框３５および召合せ框３６の樹脂框３７とは、互いの端部３７ａ，３７ａを突き合わせて９０°を成すようにして溶着されている。
上框３３の框芯材３８と、戸先框３５および召合せ框３６の框芯材３８とは、直接連結されておらず連結金具（不図示）を介して連結されている。下框３４の框芯材３８と、戸先框３５および召合せ框３６の框芯材３８とは、直接連結されておらず連結金具（不図示）を介して連結されている。
下框３４には、長さ方向（左右方向）の両端部近傍それぞれに、下枠２２に沿って左右方向に走行可能な戸車７，７（図３参照）が取り付けられている。
【００４８】
次に、上述した本実施形態による建具１の作用・効果について図面を用いて説明する。
上述した本実施形態による建具１では、第１突起部４５６の下面４５６ａ、上面４５６ｂおよび先端面４５６ｃそれぞれと、第１障子レール溝部６ｂの内周面との間には、隙間ｄ１が形成されている。また、第２突起部４５７の下面４５７ａ、上面４５７ｂおよび先端面４５７ｃそれぞれと、第２障子レール溝部６ｃの内周面との間には、隙間ｄ２が形成されている。
これにより、障子３の開閉によって障子レール６が樹脂下枠４に対して上下および水平方向に動いても、樹脂下枠４の第１突起部４５６と第１障子レール溝部６ｂの内周面とが擦れることがないとともに、樹脂下枠４の第２突起部４５７と第２障子レール溝部６ｃの内周面とが擦れることがないため、障子３の開閉時に異音が生じることを防止することができる。
また、第１突起部４５６および第２突起部４５７や第１障子レール溝部６ｂおよび第２障子レール溝部６ｃの寸法にバラツキが生じた場合でも、第１突起部４５６の下面４５６ａ、上面４５６ｂおよび先端面４５６ｃそれぞれと、第１障子レール溝部６ｂの内周面との間の隙間ｄ１、第２突起部４５７の下面４５７ａ、上面４５７ｂおよび先端面４５７ｃそれぞれと、第２障子レール溝部６ｃの内周面との間の隙間ｄ２によって寸法のバラツキを吸収することができる。
【００４９】
また、樹脂下枠溝部４５５には、高さ方向の中間部に樹脂下枠溝部４５５の内側に突出する第１突起部４５６および第２突起部４５７が形成され、第１突起部４５６および第２突起部４５７の下側に障子レール６の第１突出部６７および第２突出部６８が配置されている。これにより、第１突起部４５６および第２突起部４５７によって障子レール６が樹脂下枠溝部４５５から抜け出ることを防止することができる。
【００５０】
また、障子レール６は、第１張出部６５および第２張出部６６が形成され、第１張出部６５および第２張出部６６は、それぞれ先端面がテーパ形状に形成され、先端面と上端部との連結部分がＲ形状に形成されている。
第１張出部６５および第２張出部６６がそれぞれ樹脂下枠４の上端部と接触することにより、障子レール６を樹脂下枠４に対して安定した状態に取り付けることができる。また第１張出部６５および第２張出部６６におけるＲ形状の部分が樹脂下枠４の上端部と接触することにより、第１張出部６５および第２張出部６６と樹脂下枠４の上端部とが例えば、点接触や面接触するため、互いの接点を少なくすることができ、互いに擦れた場合でも異音が生じることを抑えることができる。
【００５１】
また、障子レール６の障子レール外板部６３の下端面６３１および障子レール内板部６４の下端面６４１は、樹脂下枠溝部４５５の底部（レール中板部４５３の上面４５３ａ）と当接していることにより、障子レール６を樹脂下枠４に対して安定した状態に取り付けることができる。
【００５２】
また、障子レール６は、枠体２の縦枠２３と離間するように設けられている。樹脂製の下枠２２と縦枠２３とが溶着されていると、下枠２２と縦枠２３との境界部分にばりが生じることがある。本発明では、障子レール６は、枠体２の縦枠２３と離間するように設けられていることにより、下枠２２と縦枠２３との境界部分にばりが生じた場合でも、樹脂下枠４に障子レール６を取り付けることができる。
【００５３】
以上、本発明による建具１の実施形態について説明したが、本発明は上記の実施形態に限定されるものではなく、その趣旨を逸脱しない範囲で適宜変更可能である。
例えば、上記の実施形態では、建具１は引違サッシであるが、障子レール６に沿って障子３が移動する形態であれば、引違サッシ以外のサッシであってもよい。
【００５４】
また、上記の実施形態では、障子レール６の障子レール外板部６３の下端面６３１および障子レール内板部６４の下端面６４１は、Ｒ形状に形成され、樹脂下枠溝部４５５の底部（レール中板部４５３の上面４５３ａ）と線接触しているが、図６に示す建具１Ｂの障子レール６のように、障子レール外板部６３Ｂの下端部６３１Ｂ、および障子レール内板部６４Ｂの下端部６４１Ｂが平面状に形成され、樹脂下枠溝部４５５の底部（レール中板部４５３の上面４５３ａ）と面接触していてもよい。
また、障子レール６の障子レール外板部６３の下端面６３１および障子レール内板部６４の下端面６４１が、樹脂下枠溝部４５５の底部と離間していてもよい。
【００５５】
また、上記の実施形態では、第１突起部４５６が第１障子レール溝部６ｂに配置され、第２突起部４５７が第２障子レール溝部６ｃに配置されるように構成されているが、第１突起部４５６および第２突起部４５７が樹脂下枠４に形成されていなくてもよく、第１障子レール溝部６ｂおよび第２障子レール溝部６ｃが障子レール６に形成されていなくてもよい。
また、上記の実施形態では、第１突起部４５６および第２突起部４５７の下側に障子レール６の第１突出部６７および第２突出部６８が配置される構成であるが、このような構成でなくてもよい。
【００５６】
また、上記の実施形態では、障子レール６には、第１張出部６５および第２張出部６６が形成され、第１張出部６５および第２張出部６６は、それぞれ先端面がテーパ形状に形成され、先端面と上端部との連結部分がＲ形状に形成されている。これに対し、障子レール６には、第１張出部６５および第２張出部６６が形成されていなくてもよい。また、第１張出部６５および第２張出部６６の先端面がテーパ状以外の形状に形成されていてもよいし、先端面と上端部との連結部分がＲ形状以外の形状に形成されていてもよい。
また、上記の実施形態では、障子レール６は、枠体２の縦枠２３と離間するように設けられているが、縦枠２３と接触した状態に設けられていてもよい。
また、上記の実施形態では、建具１として障子３および枠体２が樹脂製であるものを例示したが、本発明の建具は、樹脂製であるものに限られず障子や枠が金属製、金属と樹脂の複合となっているものでも良い。例えば、本発明の建具には、上記の実施形態における樹脂下枠（枠本体）４に代わって、金属製や金属と樹脂との複合の枠本体が設けられていてもよい。
【符号の説明】
【００５７】
１  建具
２  枠体
３  障子
４  樹脂下枠（枠本体）
６，６Ｂ  障子レール
６ｂ  第１障子レール溝部（障子レールの側部）
６ｃ  第２障子レール溝部（障子レールの側部）
７  戸車
２２  下枠
２３  縦枠
６５  第１張出部（張出部）
６６  第２張出部（張出部）
４５１ａ  室内側の面（溝部の側部）
４５２ａ  室外側の面（溝部の側部）
４５３ａ  上面（溝部の底部）
４５５  樹脂下枠溝部（溝部）
４５６  第１突起部（突起部、溝部の側部）
４５７  第２突起部（突起部、溝部の側部）
ｄ１，ｄ２  隙間
【図１】
2019094705.tif 000003
【図２】
2019094705.tif 000004
【図３】
2019094705.tif 000005
【図４】
2019094705.tif 000006
【図５】
2019094705.tif 000007
【図６】
2019094705.tif 000008